(57)【要約】      （修正有）【課題】回転型電動工具に取付けられる先端工具の交換を容易に行えるようにする。【解決手段】先端工具３を取付けるネジ構造に形成される所定形状の嵌合穴に嵌合できる所定形状を有する凸部２３と、この凸部２３を一体的に備え作業場所に置かれるベース部２５と、を有する交換治具２２を用いる。使用者が回転型電動工具１を持って嵌合穴に凸部２３を嵌合させて回動しても、ベース部２５が、動いてしまうことがないベース部２５の重量、あるいはベース部２５の作業場に対する摩擦を有する。使用者が、先端工具３の取外しを行う回転型電動工具１、または先端工具３の取付けを行うため仮組み付けがなされた前記回転型電動工具１の嵌合穴に、ベース部２５の凸部２３を嵌合させる。そして、使用者が回転型電動工具１を持って、作業場においたベース部２５に対して、回動する。【選択図】図１
2014155993.tif 000002
【特許請求の範囲】
【請求項１】
持ち運ばれて使用される回転型電動工具に、回転して使用される先端工具が、ネジ構造によって取付けられており、前記ネジ構造を緩め、または締付けることで先端工具を交換するために、前記ネジ構造に所定形状の嵌合穴が形成されている回転型電動工具において、前記先端工具を交換するための交換治具であって、
前記嵌合穴に嵌合できる前記所定形状を有する凸部と、この凸部を一体的に備え作業場所に置かれるベース部と、を有し、使用者が前記回転型電動工具を持って前記嵌合穴に前記凸部を嵌合させて回動しても、前記ベース部が動いてしまうことがない重量、前記作業場に対する摩擦、あるいは使用者が足を載せることができる広さを、前記ベース部が有することを特徴とする先端工具の交換治具。
【請求項２】
前記ネジ構造による取付は、前記ネジ構造を構成するボルトヘッド又はナットが、前記先端工具を押圧して行われ、前記嵌合穴は、前記ボルトヘッド又はナットに形成されたカニ目、六角、または四つ穴であることを特徴とする請求項１に記載の先端工具の交換治具。
【請求項３】
前記凸部は前記ベース部に着脱可能な構造により一体的に備えられ、この着脱可能な構造は、前記凸部が上部に形成され嵌合ピースと、この嵌合ピースの下部に形成された嵌合形状部と、この嵌合形状部が嵌合するため前記ベース部に形成された嵌合形状穴と、を有して構成され、前記凸部よりも前記嵌合形状部の方が大きいことを特徴とする請求項１、または２に記載の先端工具の交換治具。
【請求項４】
前記嵌合ピースの前記嵌合形状部の下端、及び、前記ベース部の前記嵌合形状穴の底部には、互いに吸着する磁石が設けられていることを特徴とする請求項３に記載の先端工具の交換治具。
【請求項５】
請求項３、または４に記載の先端工具の交換治具を使用者が用いて、前記交換を行うために、前記先端工具の取外しを行う前記回転型電動工具、または前記先端工具の取付けを行うため仮組み付けがなされた前記回転型電動工具へ、前記嵌合ピースを、前記凸部を前記嵌合穴に嵌合させることで取付ける第１工程と、前記回転型電動工具を持って、前記取付けられた嵌合ピースの前記嵌合形状部を、前記ベース部に形成された嵌合形状穴に嵌合させる第２工程と、使用者が前記回転型電動工具を持って回動し、前記ネジ構造を緩め、または締付ける第３工程と、を有する先端工具の交換方法。  
【発明の詳細な説明】
【技術分野】
【０００１】
この発明は、持ち運ばれて使用される回転型電動工具に取付けられ、回転して使用される先端工具を、交換するための交換治具の構造、および交換方法に関する。
【背景技術】
【０００２】
持ち運ばれて使用される回転型電動工具には、いろいろの種類が存在する。例えば、電動式丸鋸や、複数の先端工具を選択して取付られる電動工具である。そして、回転して使用される先端工具には、丸鋸、円形砥石、加工物を磨く円形フェルトなどがある。
これらの先端工具は、ボルトやナットなどのネジ構造によって取付けられている。この先端工具を交換するためには、ネジ構造を構成するボルトやナットに形成された所定形状の嵌合穴に、相似の所定形状を有する道具を嵌合させ、この道具を手動で回転することでネジ構造を緩め、または締付ける。
【０００３】
この嵌合穴には、いろいろの種類が存在する。例えば、２つの穴が並んで形成されるカニ目、断面が六角形状の六角、四つの穴が並んで形成される四つ穴、マイナス形状の穴、プラス形状の穴、などがある。
これらの嵌合穴に嵌合する道具としては、カニ目スパナ、六角レンチ、四つ穴用のスパナ、マイナスドライバー、プラスドライバー、などである。
これらのうち、複数の先端工具１０１を選択して取付られる回転型電動工具１０３を、図４（Ａ）に示す。そして同図（Ｂ）（Ｃ）に示すように、道具１０５であるカニ目スパナ１０７を用いて、その先端工具１０１を交換する。
【０００４】
また、図６に、他の回転型電動工具１０３である電動式丸鋸を示す。その先端工具１０１である丸鋸１０９を、他の道具１０５である六角レンチ１１１を用いて交換する。
なお、回転型電動工具に取付けられる先端工具を、カニ目スパナを用いて取付、取外しする技術が、下記の特許文献１に記載される。
【先行技術文献】
【特許文献】
【０００５】
【特許文献１】実開平０６−０６１４７４
【発明の概要】
【発明が解決しようとする課題】
【０００６】
しかしながら、回転型電動工具に取付けられる先端工具が万一、不用意に外れることがあると大変に危険なので、取付は強い力で行われる必要があり、ネジ機構は、強く締付けられる。また、ネジ機構は、回転中に緩まないように、回転力により締まる方向へネジが形成されている。このため、道具を用い手動で回転してネジ機構を緩め、または締付ける作業は、大の男の大人が行っても、大変である。
【０００７】
この発明は、以上の問題点を解決するために、回転型電動工具に取付けられる先端工具の交換を容易に行える交換治具および交換方法を提供することを目的とする。
【課題を解決するための手段】
【０００８】
以上の課題を解決するために、第一発明は、持ち運ばれて使用される回転型電動工具に、回転して使用される先端工具が、ネジ構造によって取付けられており、前記ネジ構造を緩め、または締付けることで先端工具を交換するために、前記ネジ構造に所定形状の嵌合穴が形成されている回転型電動工具において、前記先端工具を交換するための交換治具であって、
前記嵌合穴に嵌合できる前記所定形状を有する凸部と、この凸部を一体的に備え作業場所に置かれるベース部と、を有し、使用者が前記回転型電動工具を持って前記嵌合穴に前記凸部を嵌合させて回動しても、前記ベース部が動いてしまうことがない重量、前記作業場に対する摩擦、あるいは使用者が足を載せることができる広さを、前記ベース部が有することを特徴とする先端工具の交換治具である。
【０００９】
第二発明は、さらに、前記ネジ構造による取付は、前記ネジ構造を構成するボルトヘッド又はナットが、前記先端工具を押圧して行われ、前記嵌合穴は、前記ボルトヘッド又はナットに形成されたカニ目、六角、または四つ穴であることを特徴とする先端工具の交換治具である。
【００１０】
第三発明は、さらに、前記凸部は前記ベース部に着脱可能な構造により一体的に備えられ、この着脱可能な構造は、前記凸部が上部に形成され嵌合ピースと、この嵌合ピースの下部に形成された嵌合形状部と、この嵌合形状部が嵌合するため前記ベース部に形成された嵌合形状穴と、を有して構成され、前記凸部よりも前記嵌合形状部の方が大きいことを特徴とする先端工具の交換治具である。
【００１１】
第四発明は、さらに、前記嵌合ピースの前記嵌合形状部の下端、及び、前記ベース部の前記嵌合形状穴の底部には、互いに吸着する磁石が設けられていることを特徴とする先端工具の交換治具である。
第五発明は、第三発明または第四発明に記載の先端工具の交換治具を使用者が用いて、前記交換を行うために、前記先端工具の取外しを行う前記回転型電動工具、または前記先端工具の取付けを行うため仮組み付けがなされた前記回転型電動工具へ、前記嵌合ピースを、前記凸部を前記嵌合穴に嵌合させることで取付ける第１工程と、前記回転型電動工具を持って、前記取付けられた嵌合ピースの前記嵌合形状部を、前記ベース部に形成された嵌合形状穴に嵌合させる第２工程と、使用者が前記回転型電動工具を持って回動し、前記ネジ構造を緩め、または締付ける第３工程と、を有する先端工具の交換方法である。  
【発明の効果】
【００１２】
第一、第二、第三、第四、または第五発明によれば、先端工具の取外しを行う回転型電動工具、または前記先端工具の取付けを行うため仮組み付けがなされた前記回転型電動工具の嵌合穴に、ベース部の凸部を嵌合させる。そして、使用者が回転型電動工具を持って、作業場においたベース部に対して、回動し、ネジ構造を緩め、または締付ける。
【００１３】
このため、使用者は、従来のようにスパナ、レンチ、ドライバーなどの道具を使用する場合に比べ、回転型電動工具を持って回動することで、手や腕だけではなく、体全体の力をも使用し、大きな力を使うことができ、容易に回動が行える。よって、楽に、ネジ構造を緩めまたは締付けることができ、容易に、回転型電動工具の先端工具を交換することができる。
【００１４】
第三、第四、または第五発明によれば、さらに、凸部がベース部に対して着脱可能なために、異なる凸部を用い、異なる種類の嵌合穴に対応できる。
第四、または第五発明によれば、さらに、磁石の働きで、嵌合ピースがベース部から飛び出てしまうのを防止できる。
第五発明によれば、さらに、交換の作業を容易に行える。すなわち、回転型電動工具の嵌合穴にベース部の凸部を１つの工程によりいわば直接に嵌合するのではなく、第１工程と第２工程の２つの工程に分ける。そして、第１工程である回転型電動工具への嵌合ピースの取付は、嵌合ピースを小さくできることから、小さな嵌合ピースを手に持って、容易に行える。
【００１５】
また、第２工程である嵌合ピースをベース部に取付ける取付は、回転型電動工具の凸部よりも前記嵌合形状部の方が大きいことから、嵌合作業が容易である。また、回転型電動工へ取付けられた嵌合ピースは、回転型電動工から大きく突出するので、ベース部の嵌合形状穴に容易に嵌合できる。
【００１６】
よって、１つの工程によりいわば直接に嵌合する場合に比べ、２つの工程に分けて嵌合することで、嵌合作業が容易になり、従って、交換の作業が容易になる。
【図面の簡単な説明】
【００１７】
【図１】この発明の一実施形態にかかる交換治具を用いて、回転型電動工具の先端工具を交換する作業を示すもので（Ａ）は全体図、（Ｂ）は（Ａ）の要部を拡大し分解して示す図である。
【図２】この発明の一実施形態にかかる交換治具が備える嵌合ピースを示すもので、（Ａ）は図１（Ｂ）の嵌合ピースを示す図、（Ｂ）（Ｃ）は他の種類の嵌合ピースを示す図である。
【図３】（Ａ）は図１（Ｂ）の回転型電動工具の下部を反対側の下から見た斜視図、（Ｂ）は（Ａ）の分解図である。
【図４】従来技術の作業をしめすもので、（Ａ）は回転型電動工具の斜視図、（Ｂ）は道具を用いて（Ａ）の先端工具を交換する作業を示す斜視図、（Ｃ）は（Ｂ）の要部を示す拡大図である。
【図５】図１（Ｂ）において他の種類の嵌合ピースを用い、他の回転型電動工具の先端工具を交換する作業を示すもので、（Ａ）は全体斜視図、（Ｂ）は（Ａ）の要部断面図である。
【図６】従来技術の作業をしめすもので、他の回転型電動工具の先端工具を他の道具を用いて交換する作業を示す斜視図である。
【発明を実施するための形態】
【００１８】
この発明の一実施形態を、図１〜図３に示す。
［回転型電動工具］
図１（Ｂ）に示す回転型電動工具１は、持ち運ばれて使用され、丸鋸、円形砥石、加工物を磨く円形フェルトなど、複数の先端工具３を選択して取付られる。同図の回転型電動工具１には円形砥石５が取付けられている。この円形砥石５は、モーターにより回転して使用される。
【００１９】
図３（Ａ）（Ｂ）に示すように、この先端工具３は、ネジ構造７によって取付けられている。このネジ構造７は、モーターにより回転する回転軸９に形成された雄ネジ１１に、リング状の部品群であるワッシャ１３、円形パット１５、円形砥石５、ナット１７が、順に通される。最後に通されるナット１７には、嵌合穴１９であるカニ目２１が、形成される。通常は、このカニ目２１にカニ目スパナを用い、ナット１７を螺合して締付け、又は緩めることで、円形砥石５が取付けられ、又は取り外される。
【００２０】
［交換治具］
図１（Ｂ）、図２（Ａ）に示す交換治具２２は、カニ目スパナの代りに使用される。図３に示すように、交換治具２２は、嵌合穴１９であるカニ目２１に嵌合できる、カニ目２１と相似の所定形状を有する凸部２３を有する。また、この凸部２３を一体的に備え、作業場所に置かれる台であるベース部２５を有する。凸部２３はベース部２５に対し、上下方向へ着脱可能で、水平方向には一体である。また、水平面内の回動に対しても一体である。
【００２１】
このように着脱可能で一体的な構造は、この実施形態では、以下のように構成される。すなわち、凸部２３が、短円柱状の嵌合ピース２７の上部に形成される。この嵌合ピース２７の下部には、太い四角柱の嵌合形状部２９が形成される。そして、この嵌合形状部２９が嵌合するため、ベース部２５の中央には、嵌合形状穴３１が形成される。さらに、嵌合形状部２９の下端面、及び、嵌合形状穴３１の底部面には、互いに吸着する磁石３３が設けられている。なお、嵌合形状穴３１の底部面の磁石は図示しない。
【００２２】
また、凸部２３よりも嵌合形状部２９の方が、体積、周囲、及び上下の長さが数倍大きい。
ベース部２５は、作業場である作業机３５の上に載せて、使用される。そして、十分な重量と摩擦を有する。すなわち、後述するように、使用者３７が回転型電動工具１を持って嵌合穴１９に凸部２３を嵌合させて回動しても、ベース部２５が動いてしまうことがない十分な重量、あるいは作業場である作業机３５の上面に対する十分な摩擦を有する。
【００２３】
［交換方法］
以上の交換治具２２を用いて、先端工具３の交換は、次のように行う。
まず、先端工具３の取外しを行う回転型電動工具１を用意する。または、先端工具３の取付けを行うため、図３（Ｂ）の部品の順に、緩く、仮組み付けがなされた回転型電動工具１を用意する。回転型電動工具１には、通常、先端工具３の回転をロックするスピンドルロック機能が備えられているので、その機能をオンにする。そして、回転型電動工具１をいわば裏返し、先端工具３を露出させる。その状態で、嵌合ピース２７を、凸部２３を嵌合穴１９に嵌合させることで、回転型電動工具１へ取付ける。
【００２４】
次に、嵌合ピース２７が外れないように片手の指で押さえながら、回転型電動工具１を持上げる。そして、取付けられた嵌合ピース２７の嵌合形状部２９を、ベース部２５に形成された嵌合形状穴３１に嵌合させる。
このようにして図１（Ａ）の状態になるので、使用者３７は、そのまま回転型電動工具１を持って回動することで、ネジ構造７を緩め、または締付けを行う。
【００２５】
「実施形態の効果」
この実施形態によれば、以下の作用・効果を得る。
（１）使用者３７は、従来のようにスパナ、レンチ、ドライバーなどの道具を使用する場合に比べ、回転型電動工具１を持って回動することで、手や腕だけではなく、体全体の力、特に体幹の大きな筋肉の力も使用し、容易に大きな力を使って回動が行える。よって、楽に、ネジ構造７を緩めまたは締付けることができ、容易に、回転型電動工具１の先端工具３を交換することができる。
【００２６】
（１−２）従来のカニ目スパナを使用し、強い力で回動しようとすると、カニ目スパナの先端に形成される２つの突起が、カニ目から外れやすいものであった。これはカニ目スパナを嵌合方向へ押さえ込む力が不足してしまうためであった。これに対し、この実施形態によれば、回転型電動工具１の重量や使用者３７の体の重さを使って、押さえ込む力を十分なものにできるので、外れにくくなる。
【００２７】
（１−３）従来のカニ目スパナを使用し、あまりに強い力で回動しようとすると、カニ目スパナが変形してしまうことがあったが、この実施形態によれば、そのような変形する部分は、存在しない。
（１−４）従来のカニ目スパナを使用し、強い力で回動しようとするために、両手を使用してカニ目スパナを握る必要があり、そのため、回転型電動工具１は、手で押さえておくことができず、不安定に動いてしまうものであった。しかし、この実施形態によれば、回転型電動工具１を持って回動するので、回転型電動工具１は安定し、作業が容易である。
【００２８】
（２）凸部２３がベース部２５に対して着脱可能なために、異なる凸部２３を用い、異なる種類の嵌合穴１９に対応できる。すなわち、嵌合穴１９が、２つの穴が並んで形成されるカニ目２１、断面が六角形状の六角４５、四つの穴が並んで形成される四つ穴、マイナス形状の穴、プラス形状の穴、などであっても、大きなベース部２５を共有できる。
（２−２）凸部２３が上部に形成された嵌合ピース２７の下部に形成された嵌合形状部２９が、ベース部２５に形成された嵌合形状穴３１に、嵌合することで、凸部２３は水平面内での回動はできなくなる。これにより、凸部２３はベース部２５に着脱可能であるとともに、回動力をうける部材としては一体になると言える。よって、着脱可能であり一体的と言える。
【００２９】
（３）磁石３３の働きで、嵌合ピース２７がベース部２５に、より一体的になり、仮に衝撃があっても、嵌合形状穴３１から飛び出てしまうのを防止できる。
（４）嵌合が容易になり、交換作業を容易に行える。すなわち、回転型電動工具１の嵌合穴１９にベース部２５の凸部２３を１つの工程によりいわば直接に嵌合する場合に比べ、嵌合の作業を、２つの工程に分けることで、第１工程である回転型電動工具１への嵌合ピース２７の取付は、嵌合ピース２７を小さくできることから、小さな嵌合ピース２７を手に持って、容易に行える。
【００３０】
また、第２工程で、回転型電動工具１へ取付けられた嵌合ピース２７をベース部２５に取付ける取付は、回転型電動工具１の凸部２３よりも嵌合形状部２９の方が大きいことから、嵌合時の狙いが容易になり、結局は嵌合作業が容易である。また、回転型電動工具１へ取付けられた嵌合ピース２７は、回転型電動工具１から大きく突出するので、やはり嵌合時の狙いが容易になり、ベース部２５の嵌合形状穴３１に容易に嵌合できる。
【００３１】
よって、１つの工程によりいわば直接に嵌合する場合に比べ、２つの工程に分けて嵌合することで、嵌合作業が容易になり、従って、交換の作業が容易になる。
（５）嵌合ピース２７の下部の太い嵌合形状部２９が、ベース部２５の嵌合形状穴３１に嵌合することで、大きな力で回動しても、嵌合ピース２７がベース部２５に対して動いてしまうことがない。
【００３２】
「他の実施形態」
以上の実施形態では、使用者３７が回転型電動工具１を持って嵌合穴１９に凸部２３を嵌合させ、回動しても、ベース部２５が、動いてしまうことがない重量、及び作業場に対するベース部２５の摩擦を有するものであったが、他の実施形態では、動いてしまうことがない十分な重量のみを有するものでもよい。または、ベース部２５の裏側に摩擦の大きなゴムマットなどを貼付けるなどして、作業場に対するベース部２５の十分な摩擦のみを有するものでもよい。
【００３３】
以上の実施形態では、使用者３７が回転型電動工具１を持って回動しても、ベース部２５が、動いてしまうことがないように、ベース部２５の重量や作業場に対するベース部２５の摩擦を十分にするものであったが、他の実施形態では、他の手段により、ベース部２５が動かないようにできる。すなわち、ベース部２５を作業机に、クランプ装置などで固定することができる。また、ベース部２５を作業床に置き、ベース部２５の両端に使用者が足を載せて踏み、作業者の体重をかけることで、ベース部２５が動かないようにできる。
【００３４】
以上の実施形態では、嵌合ピース２７を設けることで、凸部２３はベース部２５に着脱可能な構造とするものであったが、他の実施形態では、着脱可能ではなく、凸部２３はベース部２５に直接に設け完全に一体化されていても良い。
この場合には、先端工具３である円形砥石５の取外しを行う回転型電動工具１、または先端工具３の取付けを行うため仮組み付けがなされた回転型電動工具１を持上げ、この回転型電動工具１の嵌合穴１９に、ベース部２５の凸部２３を嵌合させる。そして、使用者３７が、回転型電動工具１を持って、作業場においたベース部２５に対して、回動し、ネジ構造７を緩め、または締付ける。
【００３５】
以上の実施形態では、回転型電動工具１には、先端工具３の回転をロックするスピンドルロック機能が備えられているので、その機能をオンにして作業するものとしたが、他の実施形態では、そのような機能を有さない回転型電動工具１にも、本発明は実施できる。すなわち、この実施形態によれば、回転型電動工具１の重量や使用者３７の体の重さを使って、先端工具３を押さえ込むことが容易にできるので、スピンドルロック機能が無くても先端工具３の回転を回転させずに、作業を行うことができる。
【００３６】
以上の実施形態では、嵌合穴１９はカニ目２１であったが、他の実施形態ではいろいろの種類の嵌合穴１９で本発明は実施できる。例えば、断面が六角形状の六角（図２（Ｂ））、四つの穴が並んで形成される四つ穴  図１（Ｃ）、マイナス形状の穴、プラス形状の穴、などである。
【００３７】
例えば図５に示すように、他の回転型電動工具１である電動式丸鋸では、図５（Ｂ）に示すように、その先端工具３である丸鋸４１を、ボルトヘッド４３により取付けているが、このボルトヘッド４３には、嵌合穴１９である、断面が六角形状の六角４５が形成される。
すなわち、モーターにより回転する回転軸９を、リング状の丸鋸４１へ通し、この回転軸９の周囲に形成された爪４７を、丸鋸４１の図示しないスリットへ通して、回り止めする。その上からワッシャ４９を被せる。そしてワッシャ４９と丸鋸４１の上から、ボルト５１を通し、回転軸９に同心状に形成された雌ネジ５３に、螺合することで、ボルトヘッド４３により、丸鋸４１を締付け、取付けている。
【００３８】
そして、図５（Ａ）に示すように、凸部２３が六角である嵌合ピース２７を、ベース部２５の中央の嵌合形状穴３１に、嵌合して、交換治具２２を用意する。そうすれば、前述した実施形態とほぼ同様の工程がなされる。
【００３９】
すなわち、図５（Ａ）に示すように、回転型電動工具１をいわば横倒し、先端工具３を露出させ、その状態で、嵌合ピース２７の凸部２３を、嵌合穴１９に嵌合させることで、嵌合ピース２７を回転型電動工具１へ取付ける。次に、嵌合ピース２７が外れないようにしながら、回転型電動工具１を持上げ、嵌合ピース２７の嵌合形状部２９を、ベース部２５に形成された嵌合形状穴３１に嵌合させる。そして、使用者３７は、そのまま回転型電動工具１を持って回動することで、ネジ構造７を緩め、または締付けを行う。
【００４０】
以上の実施形態では、磁石３３は嵌合形状部２９の下端に設けられるものであったが、他の実施形態では、凸部２３が設けられる嵌合ピース２７の上面に設けることも可能である。そうすることで、磁石が嵌合穴１９の縁部に吸着し、凸部２３が嵌合穴１９から外れにくくなり、作業がより容易になる。
【００４１】
すなわち、前述した［交換方法］において、嵌合ピース２７の凸部２３を回転型電動工具１の嵌合穴１９に嵌合させて取付けた後に、嵌合ピース２７が外れないように片手の指で押さえながら、この回転型電動工具１を持上げ、取付けられた嵌合ピース２７の嵌合形状部２９を、ベース部２５に形成された嵌合形状穴３１に嵌合させる嵌合作業が必要である。そして、この嵌合作業において、嵌合ピース２７の上面の磁石が嵌合穴１９の縁部に吸着することで、嵌合ピース２７が外れることがなく、作業が容易である。
【００４２】
また、以上の実施形態では、嵌合ピース２７は作業中のふらつきなどを防止するために図中の上下方向の長さが短いが、他の実施形態では、十分に長くし、使用者の握り拳よりやや長くすることもできる。そうすれば、嵌合作業が容易になる。
【００４３】
すなわち、嵌合作業において、回転型電動工具１とベース部２５との間に、使用者の握り拳を入れることができれば、嵌合ピース２７を握ったままで嵌合作業ができるので、嵌合ピース２７が外れることもなく、容易に作業を行える。
【００４４】
また、以上の実施形態では、凸部２３は嵌合ピース２７に一体に設けられるものであったが、他の実施形態では、一体ではなく、着脱可能にすることも可能である。すなわち、カニ目、六角、または四つ穴に対応した、形状の異なる複数の凸部２３を用意し、これらの凸部２３が、嵌合構造により嵌合ピース２７に対して着脱可能とすることで、本願の交換治具の全体的なボリュームを小さくでき、収納場所が小さくて済む。  
【符号の説明】
【００４５】
１…回転型電動工具、３…先端工具、５…円形砥石、７…ネジ構造、９…回転軸、１１…雄ネジ、１３…ワッシャ、１５…円形パット、１７…ナット、１９…嵌合穴、２１…カニ目、２２・・交換治具、２３…凸部、２５…ベース部、２７…嵌合ピース、２９…嵌合形状部、３１…嵌合形状穴、３３…磁石、３５…作業机、３７・・使用者、４１・・丸鋸、４３・・ボルトヘッド、４５・・六角、４７・・爪、４９・・ワッシャ、５１・・ボルト。
【図１】
2014155993.tif 000003
【図２】
2014155993.tif 000004
【図３】
2014155993.tif 000005
【図４】
2014155993.tif 000006
【図５】
2014155993.tif 000007
【図６】
2014155993.tif 000008